(57)【特許請求の範囲】
【請求項１】
牛乳などを収容する略直方体形状の容器本体の開口部に、この開口部の外周縁を外側から覆う略皿状の蓋体が、ピン結合により開閉自在に取り付けられている保冷容器の蓋体取付構造であって、
前記容器本体にピンが、前記蓋体に係止孔が、それぞれの互いに対向する一対の側面に形成されているとともに、前記係止孔の両側に、当該係止孔を挟む態様で直線状の案内リブが一本ずつ形成され、
かつ、
前記ピンの軸方向の先端部には、抜け止め用頭部が一体に形成されているととともに、前記係止孔は、この頭部を挿通することのできる略相補的な形状に形成されており、これら抜け止め用頭部と係止孔とは、前記蓋体を閉じた状態あるいは開いた状態において、同じ位置で重なりあわないように、回動方向に所定角度ずれた姿勢で形成されており、
さらに、
前記ピンと前記係止孔とによる回動支点が、前記容器本体に形成された開口部内面より外方に構成されることにより、前記蓋体を前記容器本体に対して閉じた場合に、前記蓋体の外周縁が容器本体の開口部外周縁より外方に配置されることにより、容器本体の開口部が前記蓋体により覆われており、
前記容器本体の開口に対し前記蓋体が閉じられた状態において、前記ピンによる回動支点から前記蓋体の外表面までの距離をＢ，同じく前記蓋体が閉じられた状態において、前記ピンによる回動支点から前記容器本体の背面側の外表面までの距離をＣとしたとき、Ｂ≦Ｃとなるように設定されていることを特徴とする保冷容器の蓋体取付構造。
【請求項２】
前記係止孔の下方を挟む態様で略三角形状の切欠部が設けられていることを特徴とする請求項１に記載の保冷容器の蓋体取付構造。
【請求項３】
前記係止孔を設けた前記蓋体の前記ピンを案内する部分に、段部を設けたことを特徴とする請求項１または２に記載の保冷容器の蓋体取付構造。
【請求項４】
前記抜け止め用頭部の形状は、断面Ｉ字状であるとともに、前記係止孔は、その長径が短径よりも長いＩ字状の長孔であることを特徴とする請求項１に記載の保冷容器の蓋体取付構造。
【発明の詳細な説明】
【０００１】
【発明の属する技術分野】
本発明は、保冷容器の蓋体取付構造に関し、詳しくは、牛乳あるいは乳酸飲料など家庭に配達されてきた物品を、保冷状態で管理するのに好適な保冷容器の蓋体取付構造に関する。
【０００２】
【従来の技術】
従来から、牛乳を始めとして、ヨーグルトなどの乳酸飲料は、販売所から各家庭にまで配達される販売方式が一部採用されている。
その場合、購買者の玄関先などには、いわゆる牛乳箱が配置され、この箱内に商品が配達されている。このような牛乳箱としては、一般に合成樹脂製の容器が使用されている。
【０００３】
図１０は従来の保冷容器２を示したものである。
この保冷容器２は、略直方体形状の容器本体４と皿状の蓋体６とから構成され、蓋体６は、両側に突出されたピン８により容器本体４の側壁に回動自在に取付られている。また、蓋体６を容器本体４に取り付けるには、先ず、蓋体６のピン８，８側を容器本体４側に向けて配置するとともに、これら２つのピン８，８を片方ずつあるいは両方一緒に、孔４ａ，４ａに向かって押し下げることにより取り付けられている。
【０００４】
一方、牛乳などの要冷蔵商品が配達されてきた場合は、その商品は数時間程度そのままの状態で保管されることがあるため、内部の物品が盗難にあわないように、容器本体４と蓋体６との間に、かぎ１０をかけて封止することもある。
【０００５】
【発明が解決しようとする課題】
ところで、このように盗難防止の観点から、蓋体６と容器本体４との間にかぎ１０をかけても、背面側のピン８を容器本体４の孔４ａから外せば、蓋体６を容器本体４から容易に取り外すことができ、盗難を防止する上でさらなる改善が求められていた。
【０００６】
また、従来の保冷容器２では、蓋体６から突出されたピン８を容器本体４の孔４ａに差し込む作業を行なう際に、孔４ａの位置がよくわからない状態で、かなりの距離、蓋体６を下方に押し下げなければならなかった。また、その場合に、ピン８と孔４ａとの位置合わせは、作業者の感に頼って行なわれるために、ピン８と孔４ａとがずれ易く、場合によっては、この位置合わせを何度も行なわなければならないという問題があった。
【０００７】
一方、このような保冷容器２は、図１１に示したように、背の部分が外壁１２等に沿って配置されることもあるが、この保冷容器２の蓋体６を開いた姿勢は、蓋体６の一端部６ａが容器本体４の背板に回動不能に保持される構造であるため、蓋体６と外壁１２との間に所定の間隙Ｓを確保しなければ、蓋体６を確実に開いた姿勢で保持することができないという問題があった。
【０００８】
さらに、従来の保冷容器２は、図１０に示したように、蓋体６が閉じられた状態で、その一端部６ａが容器本体４の内面側に配置されるため、例えば、雨が降った日などには、蓋体６の一端部６ａと容器本体４との間、すなわち、ピン８を設けた側において、内方に雨が侵入しやすく、商品に水がかかってしまうという問題があった。
【０００９】
本発明は、このような実状に鑑み、蓋体と容器本体との組み付けが容易で、さらには、盗難をより一層効果的に防止することができ、また外壁などに沿って直置きとして使用する場合に外壁との間の離間スペースを小さく抑えることが可能で、しかも雨の日などに水が侵入してしまうことを防止することができる保冷容器の蓋体取付構造を提供することを目的としている。
【００１０】
【課題を解決するための手段】
上記目的を達成するための本発明に係る保冷容器は、
牛乳などを収容する略直方体形状の容器本体の開口部に、この開口部の外周縁を外側から覆う略皿状の蓋体が、ピン結合により開閉自在に取り付けられている保冷容器の蓋体取付構造であって、
前記容器本体にピンが、前記蓋体に係止孔が、それぞれの互いに対向する一対の側面に形成されているとともに、前記係止孔の両側に、当該係止孔を挟む態様で直線状の案内リブが一本ずつ形成され、
かつ、
前記ピンの軸方向の先端部には、抜け止め用頭部が一体に形成されているととともに、前記係止孔は、この頭部を挿通することのできる略相補的な形状に形成されており、これら抜け止め用頭部と係止孔とは、前記蓋体を閉じた状態あるいは開いた状態において、同じ位置で重なりあわないように、回動方向に所定角度ずれた姿勢で形成されており、
さらに、
前記ピンと前記係止孔とによる回動支点が、前記容器本体に形成された開口部内面より外方に構成されることにより、前記蓋体を前記容器本体に対して閉じた場合に、前記蓋体の外周縁が容器本体の開口部外周縁より外方に配置されることにより、容器本体の開口部が前記蓋体により覆われており、
前記容器本体の開口に対し前記蓋体が閉じられた状態において、前記ピンによる回動支点から前記蓋体の外表面までの距離をＢ，同じく前記蓋体が閉じられた状態において、前記ピンによる回動支点から前記容器本体の背面側の外表面までの距離をＣとしたとき、Ｂ≦Ｃとなるように設定されていることを特徴としている。
【００１１】
このような構成であれば、案内リブに沿ってピンを係止孔にまで案内することができる。
また、蓋体を開いた場合に、その蓋体が背面側に大きく出っ張ることはない。
さらに、ピンの抜け止め用頭部と係止孔とが略相補的な形状で、蓋体を閉じた状態あるいは開いた状態において、同じ位置で重なり合わないように所定角度ずれた姿勢に形成することにより、蓋体と容器本体との係合を確実とすることができるとともに、蓋体の外れを可及的に防止することができる。
また、Ｂ≦Ｃとなるように設定すれば、蓋体を開いた場合に、その蓋体が背面側に大きく出っ張ることはない。
さらに、前記係止孔の下方を挟む態様で略三角形状の切欠部が設けられていても良い。
【００１２】
また、前記係止孔を設けた前記蓋体の前記ピンを案内する部分に、段部を設けることもできる。
このような構成であれば、ピンと孔との係合を容易にかつ速やかに行なうことができる。
【００１３】
また、前記抜け止め用頭部の形状は、断面Ｉ字状であるとともに、前記係止孔は、その長径が短径よりも長いＩ字状の長孔であることが好ましい。
このような構成であれば、簡単な形状でピンと係止孔との抜け防止を構成することができる。
【００１７】
【発明の実施の形態】
以下、図面を参照しながら、本発明の実施例について説明する。
図１および図２は、本発明の一実施例による保冷容器を示したもので、特に牛乳瓶等を収容するのに好適な保冷容器を示したものである。
この保冷容器３０は、断熱構造の容器本体２２と、同じく断熱構造の蓋体２４とから構成されている。そして、容器本体２２の両側から突出された２つのピン２６が、蓋体２４に形成された係止孔２８に係止されることにより、蓋体２４が容器本体２２に対し回動自在に取付られている。
【００１８】
このように形成された保冷容器３０では、蓋体２４が閉じられたときに、容器本体２２の開口部２２ａを全面的に覆うことができるように、開口部２２ａより蓋体２４の方が大きく形成されている。すなわち、図３に拡大して示したように、容器本体２２の背面側の上縁部は、内面２２ｂより後方の位置で、その中央部が凸状に突出して形成され、その凸部からピン２６が突出形成されている。さらに、蓋体２４の回動支点となるピン２６は、容器本体２２の開口部２２ａより外方に配置される。すなわち、ピン２６は、容器本体２２の内面２２ｂより距離Ａの長さだけ外表面２２ｃ側に奥まった位置にある。したがって、蓋体２４を容器本体２２に対し閉じると、上方から流れてくる雨などは、容器本体２２の内方にではなく、段部２２ｄから容器の背面側に排出されることになる。
【００１９】
一方、ピン２６から蓋体２４の外表面２４ｂまでの距離をＢ、ピン２６から容器本体２２の背面側の外表面２２ｃまでの距離をＣとしたとき、Ｂ≦Ｃとなるように設定されている。
したがって、本実施例では、図２に波線で示したように、蓋体２４を容器本体２２に対して開いた状態にすると、蓋体２４の内方に折り曲げられた端部２４ｃが容器本体２２の段部２２ｄに当接することにより、蓋体２４のそれ以上の回動が規制される。このとき、容器本体２２の外表面２２ｃと蓋体２４の外表面２４ｂとが略直線状に位置する。なお、このときの蓋体２４の角度は略９３度である。
【００２０】
したがって、本実施例では、蓋体２４が開いた状態にあるとしても、蓋体２４が容器本体２２からそれほど外方に出っ張ることがない。したがって、図１１に示した場合のように、外壁面などに沿って置く場合に、外壁面との間の隙間をほとんど無くすことができる。
次に、係止孔２８を設けた蓋体２４の構造について説明する。
【００２１】
図４は、ピン結合による蓋体２４と容器本体２２との取付関係を簡略的に示したものである。
すなわち、容器本体２２の側壁にはピン２６が、蓋体２４には係止孔２８が形成されている。この蓋体２４を上から降ろして、感に頼ってピン２６と係止孔２８とを組み付けることは困難であることから、本実施例では、図５に示したように、係止孔２８を設けた蓋体２４の内面側に一対のリブ３４，３４が形成されている。このようなリブ３４の下端は、蓋体２４の下面まで延出されている。このように、リブ３４が形成された蓋体２４を容器本体２２側に向かって押し下げていくと、リブ３４に沿って容器本体２２のピン２６を蓋体２４の係止孔２８に案内することができる。したがって、蓋体２４と容器本体２２との組み付けを、容易に行なうことができる。
【００２２】
このように本実施例によれば、容器内方の孔２８の位置がわかりずらいとしても、リブ３４，３４の間でピン２６を捕捉することができるので、その蓋体２４を容器本体２２に組み付けることが可能である。
以上、本発明の一実施例について説明したが、本発明は上記実施例に何ら限定されない。例えば、上記実施例では、リブ３４を係止孔２８の両側にそれぞれ一本ずつ設けているが、このリブ３４は片側に一本のみ形成されていても良い。
【００２３】
さらに、図６に示したように、蓋体２４における係止孔２８の下方であって、リブ３４とリブ３４との間に、三角形状の切欠部４０を設けることもできる。このような切欠部４０を設けておけば、この切欠部４０を目印としてピン２６を係止孔２８に案内することができる。
さらに図７に示したように、一方のリブ３４の近傍を斜め下方に延出し、ここに段部４２を設けることもできる。このような段部４２をリブ３４の下方に設けておけば、この段部４２にピン２６を沿わすことにより、係止孔２８にピン２６を案内することができる。
【００２４】
また、上記実施例では、容器本体２２のピン２６が、先端部に至るまで丸い棒状に形成されているが、図８に示したように、この丸い棒状のピン２６の先端部に、断面Ｉ字状の頭部４４を設けて、側面視Ｔ字状にすることもできる。このような形状の頭部４４を設ける場合には、これに伴なって蓋体２４の係止孔４６の形状を、頭部４４と略相補的な形状の長孔とすることが好ましい。また、さらに、蓋体２４を閉じた場合の頭部４４の長軸Ｘ−Ｘ方向を、係止孔４６の長径Ｙ−Ｙ方向と異なるように設定することが好ましい。
【００２５】
このように、頭部４４と係止孔４６との位置関係がずれていれば、図９に示したように、蓋体２４を容器本体２２に対して閉じたときに、頭部４４が係止孔４６から外れることがない。また、このように、蓋体２４を閉じてから、本体２２と蓋体２４との間にかぎ４８をかければ、ピン２６の頭部４４と係止孔４６との係合が外れることがないので、蓋体２４を開くことができなくなる。
【００２６】
よって、かぎ４８をかけた場合の盗難防止を一層効果的に機能させることができる。
さらに、抜け止め用の頭部の形状は、断面Ｉ字状に限定されるものではなく、真円以外の形状であれば良く、例えば、半円、さらには四角形、または３／４円など、回転したときに、非対称となる形状であればいかなる形状であっても良いことはいうまでもない。
【００２７】
さらに、上記実施例では、蓋体２４に係止孔２８を設け、容器本体２２にピン２６を設けたが、これを逆にして、蓋体２４にピン２６を設け、容器本体２２に係止孔２８を設けることもできる。
このような場合にも、上記実施例と同様の作用効果を奏することができる。
【００２８】
【発明の効果】
以上、説明したように、本発明の保冷容器の蓋体取付構造によれば、案内リブに沿わせることによりピンを係止孔に案内することができるので、ピンと係止孔とによるピン結合を容易に行なうことができる。また、係止孔の近傍に三角形状の切欠部、あるいは段部を設ければ、この切欠部または段部を目印としてピンを係止孔に導くことができる。
【００２９】
また、ピンの先端部に断面Ｉ字状の頭部を設け、係止孔の形状を長孔とすれば、錠をかけた場合の抜け止めを図ることが可能になる。
また、本実施例では、蓋体により開口部の全体が覆われるので、雨などの水が入り難くされている。また、容器本体を外壁面に沿って置いたとしても、蓋体を開くことができる。したがって、設置スペースを少なくすることができる。
【図面の簡単な説明】
【図１】図１は、本発明の一実施例による取付構造で蓋体が取付られた保冷容器の斜視図である。
【図２】図２は、同実施例による保冷容器の概略断面図である。
【図３】図３は、図２の要部を拡大して示した断面図で、図１のIII−III線方向の断面図である。
【図４】図４は、図１に示した保冷容器の容器本体と蓋体との取付を簡略的に示した図である。
【図５】図５は、同実施例による蓋体の係止孔の近傍を示す正面図である。
【図６】図６は、図５の変形例を示した正面図である。
【図７】図７は、図５のさらに他の変形例を示した蓋体の破断斜視図である。
【図８】図８は、本発明の他の実施例によるピンと係止孔との係合関係を示した斜視図である。
【図９】図９は、図８に示した係止孔とピンとの係合構造を備えた保冷容器に錠をかけたときの側面図である。
【図１０】図１０は、従来の保冷容器の斜視図である。
【図１１】図１１は、従来の保冷容器を外壁面に沿って配置したときの側面図である。
【符号の説明】
２２      容器本体
２２ａ    開口部
２２ｂ    内面
２２ｃ    外表面
２２ｄ    段部
２４      蓋体
２４ｂ    外表面
２４ｃ    端部
２６      ピン
２８      係止孔
３０      保冷容器
３４      案内リブ
４０      切欠部
４２      段部
４４      頭部
４６      係止孔
【図１】
0003836383.tif 000002
【図２】
0003836383.tif 000003
【図３】
0003836383.tif 000004
【図４】
0003836383.tif 000005
【図５】
0003836383.tif 000006
【図６】
0003836383.tif 000007
【図７】
0003836383.tif 000008
【図８】
0003836383.tif 000009
【図９】
0003836383.tif 000010
【図１０】
0003836383.tif 000011
【図１１】
0003836383.tif 000012